【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
ユーザ鍵のセットにおける別の鍵によって作動するように、錠を分解することなく再構成することのできる変更可能な錠アセンブリであって、
ａ）鍵のセットであって、第１の錠構成においては前記錠を作動させるが第２の錠構成においては前記錠を作動させない第１の輪郭縁部を有する第１の鍵と、前記第２の錠構成においては前記錠を作動させるが前記第１の錠構成においては前記錠を作動させない第２の輪郭縁部を有する第２の鍵と、を少なくとも含んでおり、前記第１の輪郭縁部および前記第２の輪郭縁部が、異なって構成されている第１の輪郭位置と第２の輪郭位置とを少なくとも有する、前記鍵のセットと、
ｂ）内面を有するほぼ円筒状のボアと、前記ボア面と交差する複数のほぼ円筒状のドライバ室とを有するハウジングと、
ｃ）それぞれが、１つのドライバ室の中に配置されており中で動くことができ、前記ボア面の方に押し付けられている、複数のほぼ円筒状のドライバと、
ｄ）ほぼ円筒状の周囲を有し、前記ボア面と前記プラグ周囲との境界面にせん断線が形成されるように前記ボアの中に回転自在に取り付けられている、プラグであって、
１）縦軸線と、
２）前記周囲と交差しかつ前記縦軸線に平行であって、前記鍵のセットから選択される鍵を受け入れるように構成されている鍵穴と、
３）前記周囲および前記鍵穴と交差しており、前記縦軸線にほぼ直交する複数のほぼ円筒状のタンブラ室であって、それぞれが、前記プラグが前記ハウジングに対する第１の回転ポジションにあるときにドライバ室と整列してピン室を形成する、前記複数のほぼ円筒状のタンブラ室と、
４）前記周囲と交差している複数の保持空洞であって、それぞれが、対応するタンブラ室から隔てられており、前記プラグが前記ハウジングに対する第２の回転ポジションにあるときに、対応するドライバ室と整列する、前記複数の保持空洞と、
５）前記縦軸線に平行に構成されている変更具溝であって、前記プラグの前面から延びており前記保持空洞のそれぞれの一部と交差している、前記変更具溝と、
をさらに有する、前記プラグと、
ｅ）前記変更具溝に差し込まれることができる変更具と、
ｆ）それぞれが１つのタンブラ室の中に配置されており中で動くことができる複数のタ
ンブラと、
ｇ）それぞれが１つのピン室に関連付けられている複数の錠構成変更球であって、それぞれが、前記ピン室の中、前記ドライバと前記タンブラとの間の第１のポジションと、前記保持空洞における第２のポジションとを有し、変更具が前記変更具溝に差し込まれたときに、前記保持空洞における前記第２のポジションから動くことができる、前記複数の錠構成変更球と、
を備えている、変更可能な錠アセンブリ。
【請求項２】
前記第１の鍵の前記第１の輪郭位置が下がった位置であり、かつ、前記第１の鍵の前記第２の輪郭位置が持ち上がった位置であり、
前記錠が前記第１の鍵によって作動するように構成されているときに、前記第１の輪郭位置に対応する第１の変更球がそのピン室に配置されており、前記第２の輪郭位置に対応する第２の変更球がその保持空洞に配置されている、請求項１に記載の変更可能な錠アセンブリ。
【請求項３】
前記第２の鍵の前記第１の輪郭位置が持ち上がった位置であり、かつ、前記第２の鍵の前記第２の輪郭位置が下がった位置であり、
前記第２の鍵が前記鍵穴に差し込まれたときに、前記第２の輪郭位置に対応する前記ピン室に配置されている前記ドライバが、前記せん断線をまたいでおり、これによって、前記プラグが前記ハウジングの中で回転することができず、従って、前記第２の鍵が前記錠を作動させることができない、請求項２に記載の変更可能な錠アセンブリ。
【請求項４】
前記錠が作動している間、前記変更具が前記錠とは別の場所にある、請求項１に記載の変更可能な錠アセンブリ。
【請求項５】
前記変更具は各保持空洞から各変更球を持ち上げることができる直線上縁部を有する、請求項４に記載の変更可能な錠アセンブリ。
【請求項６】
前記鍵のセットは、前記鍵穴に差し込まれたときに、タンブラ室における変更球を前記せん断線より上に持ち上げ、かつ、錠を作動させるときに、前記プラグがその第２の回転ポジションに回転するときに前記変更球を各保持空洞に動かす、ように構成されている輪郭縁部を有するプログラム鍵をさらに備え、前記錠を前記プログラム鍵によって作動させることはできるが、前記ユーザ鍵によっては作動させることができない、請求項１に記載の変更可能な錠アセンブリ。
【請求項７】
変更可能な錠アセンブリであって、
ａ）少なくとも１つの第１のユーザ鍵と第２のユーザ鍵を含むユーザ鍵のセットを含み、各ユーザ鍵は少なくとも１つの輪郭位置を有し、さらに
ｂ）中にボアを有するハウジングと、
ｃ）前記ボアの中に回転自在に取り付けられているプラグであって、
ｉ）縦軸線と、
ｉｉ）前記縦軸線に平行であり、ユーザ鍵の前記セットから選択される鍵を受け入れるように構成されている第１の通路と、
ｉｉｉ）少なくとも１つの保持空洞と、
ｉｖ）前記少なくとも１つの保持空洞の一部と交差するプラグに構成されている第２の通路と、を含む前記プラグと、
ｄ）前記第２の通路に受け入れられるよう構成されている変更具と、
ｅ）前記プラグにおける第１のポジションと前記少なくとも１つの保持空洞における第２のポジションとの間で前記錠の中で動くことのできる少なくとも１つの変更球であって前記第１のポジションに配置されており、前記第２のユーザ鍵によって作動するように前
記錠を再構成する目的で、単に前記第２のユーザ鍵を前記ボアの中の第１の回転ポジションに配置された前記プラグの前記第１の通路に差し込むことと、前記第２のユーザ鍵を操作することによる前記プラグの前記ボアの中の第２の回転ポジションへの回転とのみに応えて、前記第１のポジションから前記第２のポジションに動くことができる、前記変更球と、を備えており、
前記変更球が前記第１のポジションにあるときには、前記第１のユーザ鍵が前記錠を作動させ、前記変更球が前記第２のポジションにあるときには、前記第１のユーザ鍵が前記錠を作動させない、
変更可能な錠アセンブリ。
【請求項８】
前記保持具は前記プラグの周囲に開口を有し、前記ハウジングは前記ボア面と交差している複数の円筒状のドライバ室を有し、さらに複数の円筒状のドライバを含み、それぞれが、１つのドライバ室の中に配置されており中で動くことができ、前記ボア面の方に押し付けられており、前記ドライバの直径は前記ドライバが前記保持具に入ることを防ぐために前記保持具の前記開口よりも小さい、請求項７に記載の変更可能な錠アセンブリ。
【請求項９】
前記プラグが、前記変更具が前記第２の通路に差し込まれたままで、前記第１の回転ポジションに回転され、かつ前記変更具が前記第２の通路から抜かれた後で、前記少なくとも１つの変更球がその第１のポジションに戻り、前記錠がリセット構成に置かれ、そこから前記錠は、単に前記第１のユーザ鍵が前記第１の通路に差し込まれることと前記プラグが前記第２の回転ポジションに回転することとに応じて、前記第１のユーザ鍵で作動するよう再構成されることができる、請求項８に記載の変更可能な錠アセンブリ。
【請求項１０】
ユーザ鍵のセットにおける別の鍵によって作動するように、錠を分解することなく再構成することのできる変更可能な錠アセンブリであって、
ａ）第１の錠構成においては前記錠を作動させるが第２の錠構成においては前記錠を作動させない第１の輪郭縁部を有する第１のユーザ鍵と、前記第２の錠構成においては前記錠を作動させるが前記第１の錠構成においては前記錠を作動させない第２の輪郭縁部を有する第２のユーザ鍵と、を少なくとも含んでおり、前記第１の輪郭縁部および前記第２の輪郭縁部が、異なって構成されている第１の輪郭位置と第２の輪郭位置とを少なくとも有する、鍵のセットと
ｂ）内面を有するほぼ円筒状のボアと、前記ボア面と交差している複数のドライバ室とを有するハウジングと、
ｃ）それぞれが、１つのドライバ室の中に配置されており中で動くことができ、前記ボア面の方に押し付けられている、複数のドライバと、
ｄ）ほぼ円筒状の周囲を有し、前記ボア面と前記プラグ周囲との境界面にせん断線が形成されるように前記ボアの中に回転自在に取り付けられている、プラグであって、
ｉ）縦軸線と、
ｉｉ）鍵の前記サブセットから選択される鍵を受け入れるように構成されている、前記縦軸線に平行な鍵穴と、
ｉｉｉ）前記周囲および前記鍵穴と交差しており、前記縦軸線にほぼ直交する複数のタンブラ室であって、それぞれが、前記プラグが前記ハウジングに対する第１の回転ポジションにあるときに複数のピン室を形成するように前記複数のドライバ室のうちの１つと整列する前記複数のタンブラ室と、
ｉｖ）前記周囲と交差している複数の保持空洞であって、それぞれが、対応するタンブラ室から隔てられており、前記プラグが前記ハウジングに対する第２の回転ポジションにあるときに、対応するドライバ室と整列する、前記複数の保持空洞と、
ｖ）前記保持空洞の一部と交差する変更具溝と、
をさらに有する、前記プラグと、
ｅ）前記複数の保持空洞と交差しない第１のポジションと、前記複数の保持空洞と交差
する第２のポジションとの間の変更具溝の中で動くことができる変更具と、
ｆ）それぞれが前記複数のタンブラ室のうちの１つの中に配置されており中で動くことができる複数のタンブラと、
ｆ）それぞれが前記複数のピン室のうちの１つに関連付けられている、複数の錠構成変更球であって、前記ドライバと前記タンブラとの間の前記ピン室の中の第１のポジションと、前記複数の保持空洞のうちの１つの中の第２のポジションとを有し、変更具が前記第２のポジションにあるときに、前記保持空洞における前記第２のポジションから動くことができる、前記複数の錠構成変更球と、
を備えている、変更可能な錠アセンブリ。
【請求項１１】
前記第１のユーザ鍵の前記第１の輪郭位置は下がった位置であり、前記第１のユーザ鍵の前記第２の輪郭位置は持ち上がった位置であり、前記錠は前記第１の錠構成にあって、前記第１の輪郭位置に対応する第１の変更球はそのピン室に配置され、前記第２の輪郭位置に対応する第２の変更球はその保持空洞に配置され、前記第２のユーザ鍵の前記第１の輪郭位置は持ち上がった位置であり、前記第２のユーザ鍵の前記第２の輪郭位置は下がった位置であり、前記第２のユーザ鍵が前記鍵穴に差し込まれたときに、前記第２の輪郭位置に対応する前記ピン室に配置されている前記ドライバが、前記せん断線をまたいでおり、これによって、前記プラグが前記ハウジングの中で回転することができず、前記第２のユーザ鍵が前記錠を作動させることができない、
請求項１０に記載の変更可能な錠アセンブリ。
【請求項１２】
前記変更溝は前記プラグの前面から延び、前記変更具は前記錠が作動している間前記錠とは別の場所にあり、前記変更溝に差し込まれると各変更球を各保持空洞から持ち上げることができる直線上縁部を有し、前記同じ変更具を、前記錠をリセットするため、および前記錠を鍵の前記サブセットの任意の鍵のために再構成するために用いることができる、
請求項１０に記載の変更可能な錠アセンブリ。
【請求項１３】
プログラム鍵が前記鍵穴に差し込まれたときに、タンブラ室に配置された変更球を前記せん断線より上に持ち上げることができ、かつ、プログラム鍵を用いて前記錠を作動させるときに、前記プラグがその第２の回転ポジションに回転するときに前記変更球を各保持空洞に動かすことができるような、輪郭縁部を有するプログラム鍵をさらに備え、前記錠を前記プログラム鍵によって作動させることはできるが、前記ユーザ鍵によっては作動させることができない、
請求項１０に記載の変更可能な錠アセンブリ。
【請求項１４】
変更可能な錠アセンブリであって、
ａ）少なくとも第１のユーザ鍵と第２のユーザ鍵とを含むユーザ鍵のセットを含み、各ユーザ鍵は少なくとも１つの輪郭位置を有し、
ｂ）ボアと、前記ボア面に交差している複数のドライバ室とを有するハウジングと
ｃ）前記ボアの中に回転自在に取り付けられているプラグとを含み、前記プラグは、
ｉ）縦軸線と、
ｉｉ）ユーザ鍵の前記サブセットから選択される鍵を受け入れるように構成されている、前記縦軸線に平行な鍵穴と、
ｉｉｉ）前記周囲および前記鍵穴と交差している複数のタンブラ室と、
ｉｖ）少なくとも１つの保持空洞と、
ｖ）前記少なくとも１つの保持空洞の一部と交差する変更具溝とを含み、
ｄ）前記少なくとも１つの保持空洞と交差しない第１のポジションと、前記少なくとも１つの保持空洞と交差する第２のポジションとの間の変更具溝の中で動くことができる変更具と、
ｅ）それぞれが１つのタンブラ室の中に配置されており中で動くことができる複数のタ
ンブラと、
ｆ）前記複数のタンブラ室の１つにおける第１のポジションと前記少なくとも１つの保持空洞における第２のポジションとの間で前記錠の中で動くことのできる少なくとも１つの変更球であって、前記第２のユーザ鍵によって作動するように前記錠を再構成する目的で、前記プラグが前記ボアの中の第１の回転ポジションにあるときに、単に前記第２のユーザ鍵を前記鍵穴に差し込むことと、前記第２のユーザ鍵を操作することによる前記プラグの前記ボアの中の第２の回転ポジションへの回転とのみに応えて、前記第１のポジションから前記第２のポジションに動くことができる、前記少なくとも１つの変更球と、
を備えており、
前記変更球が前記複数のタンブラ室のうちの前記１つにあるときには、前記第１のユーザ鍵が前記錠を作動させ、前記変更球が前記少なくとも１つの保持空洞にあるときには、前記第１のユーザ鍵が前記錠を作動させず、前記第２のユーザ鍵が前記錠を作動させる、
変更可能な錠アセンブリ。
【請求項１５】
前記保持空洞は前記プラグの周囲に開口を有し、前記ハウジングは、前記ボア面に交差している複数の円筒状のドライバ室を有し、さらに複数の円筒状のドライバを含み、それぞれが１つのドライバ室の中に配置されており中で動くことができ、前記ボア面の方に押付けられており、前記ドライバの直径は前記ドライバが前記保持空洞に入ることを防ぐために前記保持空洞の前記開口よりも大きい、請求項１４に記載の変更可能な錠アセンブリ。
【請求項１６】
前記変更具が前記少なくとも１つの保持空洞と交差しないときにのみ前記変更球が前記第１のポジションから前記少なくとも１つの保持空洞まで動くことができ、前記変更具が前記少なくとも１つの保持空洞と交差するときに前記少なくとも１つの保持空洞から前記第１のポジションまで動くことができる、請求項１５に記載の変更可能な錠アセンブリ。